(57)【要約】【課題】情報を記録するカードを磁気ディスクを有するカードにして大容量かつ安価にする。【解決手段】カードが磁気ディスクＤと、磁気ディスクＤを回転可能に収容した、開閉可能なシャッター１２を有するシェル１１とからなる。シェル１１は、８５ｍｍ以上９１ｍｍ以下の長さと５４ｍｍ以上５５ｍｍ以下の幅を備え、磁気ディスクＤは高記録密度磁気記録媒体からなる。【選択図】　　　　　図１
2004014060.tif 000002
【特許請求の範囲】
【請求項１】
磁気ディスクと、該磁気ディスクを回転可能に収容した、開閉可能なシャッターを有するシェルとからなり、
前記シェルが、８５ｍｍ以上９１ｍｍ以下の長さと５４ｍｍ以上５５ｍｍ以下の幅を備え、
前記磁気ディスクが、高記録密度磁気記録媒体からなることを特徴とする磁気ディスクを有するカード。
【発明の詳細な説明】
【０００１】
【発明の属する技術分野】
本発明は、個人情報や動画等の情報を記録する情報記録媒体として磁気ディスクを用いたカードに関するものである。
【０００２】
【従来の技術】
キャッシュカードや社員証等において、磁気帯やバーコードもしくはＩＣカード等に個人情報を記録しておき、カードリーダを用いてこの個人情報を読み出することにより認証が行われている。近年、セキュリティ意識の高まりから複雑な個人認証を行うことがあり、複雑な個人認証を行うために個人情報を暗号化してカードに組み込むことが提案されている。
【０００３】
また、電子認証を行うためにユーザに配布されるものとしてＣＤ−Ｒの形状をカード型にしたカード型ＣＤと呼ばれるものがある。そして、カード型ＣＤがパーソナルコンピュータのＣＤドライブに挿入されて電子認証が行われる。
【０００４】
【発明が解決しようとする課題】
しかし、上述したＩＣカードやカード型ＣＤ等は記憶容量が小さい。具体的には、ＩＣカードはたとえば３６ＫＢの容量しかなく、カード型ＣＤであっても５０ＭＢの容量しかない。このため、上述したＩＣカード等を用いて電子認証を行う場合、膨大な認証データＡＤを必要とする高いセキュリティ度を有する認証を行うことができず、十分なセキュリティ対策を行うことができないという問題がある。また、映像コンテンツ等の大きなファイルサイズを有するコンテンツはカード型ＣＤ等に記録することができず、カード型ＣＤコンテンツを格納してユーザに提供するというサービスには不向きである。さらに、ＩＣカードやカード型ＣＤは単価が高いため、カードを無償で配布する等のサービスには不向きであるという問題がある。
【０００５】
そこで、本発明は、容量の大きいデータを保存し、気軽に人に上げたりすることができるような大容量で安価な磁気ディスクを有するカードを提供することを目的とする。
【０００６】
【課題を解決するための手段】
本発明の磁気ディスクを有するカードは、磁気ディスクと、該磁気ディスクを回転可能に収容した、開閉可能なシャッターを有するシェルとからなり、前記シェルが、８５ｍｍ以上９１ｍｍ以下の長さと５４ｍｍ以上５５ｍｍ以下の幅を備え、前記磁気ディスクが、高記録密度磁気記録媒体からなることを特徴とする。
【０００７】
【発明の効果】
本発明の磁気ディスクを有するカードは、シェルが、８５ｍｍ以上９１ｍｍ以下の長さと５４ｍｍ以上５５ｍｍ以下の幅を有することにより、キャッシュカードやＰＣカード等と同等に取り扱うことができるため、ユーザの使い勝手がよい上、情報記憶媒体として磁気ディスクを有することにより、いわゆるカード型ＣＤやＩＣカードに比べて安価に製造することができる。
【０００８】
さらに、シェルが、開閉可能なシャッターを有することにより、磁気ディスクへのアクセスがある場合にのみ磁気ディスクが露出するようになるため、シェルに収容された磁気ディスクの保護し、磁気ディスクに格納された情報の保護を図ることができる。
【０００９】
【発明の実施の形態】
以下、本発明による磁気ディスクカートリッジの実施の形態を図面に基づいて説明する。なお、理解を容易にするために、図面における各構成部品は、その寸法比率を変えて示してある。
【００１０】
図１は本発明の磁気ディスクを有するカードの好ましい実施の形態を示す平面図であり、図１を参照して磁気ディスクを有するカード１について説明する。磁気ディスクを有するカード１は、パーソナルコンピュータ、携帯電話、デジタルカメラ等の電子機器に用いられるものであって、シェル１１と磁気ディスクＤとを有する。
【００１１】
シェル１１は、情報を記録する磁気ディスクＤを回転可能に収容しており、たとえば約１ｍｍ〜２ｍｍの厚さを有している。シェル１１はプラスチックや磁気に対する遮蔽効果を有する金属材料等からなっており、略直方体に形成されている。シェル１１のコーナ部分に略円弧状のシャッター１２が取り付けられており、シャッター１２が開閉することにより、シェル１１内の磁気ディスクＤに情報の記録再生が行われる。
【００１２】
また、このシェル１１は、８５ｍｍ〜９１ｍｍの長さＬと５４ｍｍ〜５５ｍｍの幅Ｗを備えている。すなわち、シェル１１はいわゆるキャッシュカードやＰＣカード等と略同一の大きさ（８５ｍｍ×５４ｍｍ）もしくは名刺（９１ｍｍ×５４ｍｍ〜５５ｍｍ）と略同一の大きさを有することになる。よってユーザがカードケースにしまうことができるようになり、通常のカードと同一の取り扱いを行うことができる。また、磁気ディスクＤはシェル１１およびシャッター１２により保護されているため、磁気ディスクＤの記録面が傷つくのを防止することができる。
【００１３】
さらに、磁気ディスクＤは、たとえばＣｌｉｋ！（登録商標）に用いられる磁気ディスクであって、直径１．８インチ以下の大きさを有する。具体的には、たとえば特願２００１−２０５２９０号に開示された、非磁性支持体の少なくとも一方の面に、非磁性粉末及び結合剤を含む非磁性層と、強磁性金属粉末又は六方晶系フェライト粉末である強磁性粉末及び結合剤を含む磁性層と、をこの順に有する磁気記録媒体でって、非磁性層が、平均粒径１０〜３０ｎｍのカーボンブラックを前記非磁性粉末１００質量部に対して１０〜５０質量部含有し、磁性層の厚さが０．２μｍ以下であり、電子線マイクロアナリシスによる強磁性粉末に起因する元素の平均強度ａに対する強度の標準偏差ｂが０．０３≦ｂ／ａ≦０．４であり、かつ、磁性層の中心面平均粗さＲａが５ｎｍ以下、１０点平均粗さＲｚが４０ｎｍ以下である磁気記録媒体である。
【００１４】
そして、上述した材料を用いた磁気ディスクＤに対し、たとえばＣｌｉｋ！（登録商標）用のディスクドライブ等の高記録密度の可能なＭＲヘッドを用いて情報の記録再生が行われる。
【００１５】
なお、磁気ディスクＤの容量は特に制限されないが、好ましくは５００ＭＢ以上、さらに好ましくは１ＧＢ以上の記憶容量を有している。このように、カード１に１ＧＢ以上の記録容量を有する磁気ディスクＤを内蔵させることにより、カード型ＣＤやＩＣカードに比べて、大容量かつ安価な磁気ディスクを有するカード１を提供することができる。よって、たとえば動画等を記憶した磁気ディスクを有するカード１を試供品をユーザに配布するといったサービスを行うことができ、提供者側に経済的負担をかけることなく品質のよいサービスをユーザに提供することができる。
【００１６】
また、図１に示すように、シェル１１の表面にはバーコード１３が印刷やシール等により付されており、さらにシェル１１にＩＣチップ１４を埋め込むようにしてもよい。これにより、磁気ディスクを有するカード１に付加情報、たとえば磁気ディスクに記憶されたデータのインデックスや磁気ディスクを有するカード固有の識別番号を磁気ディスクを再生することなく認識することができる。
【００１７】
図２は磁気ディスクを有するカードが使用される電子認証システムの一例を示す構成図であり、図２を参照して磁気ディスクを有するカード１の使用例について説明する。図２の電子認証システム２０は、いわゆるバイオメトリックスと呼ばれるユーザの生体情報を用いて認証を電子的に行うものであって、認証サーバ３０と電子認証装置４０とを有する。
【００１８】
まず、認証サーバ３０について説明する。認証サーバ３０は、個人の電子認証を行うための個人生体情報ＰＤを生成して磁気ディスクを有するカード１に記憶するものであって個人情報入力部３１、カードライタ３２、認証情報作成部３３等を有する。個人情報入力部３１はたとえば指紋、声紋、掌紋、筆跡など個人生体情報ＰＤを入力するものであって、入力された個人生体情報ＰＤを認証情報作成部３３に送るようになっている。
【００１９】
カードライタ３２は磁気ディスクに対して情報の記録再生を行う磁気ディスクドライブを有する。また、カードライタ３２は、たとえばカード１に付されたバーコードやＩＣチップもしくは磁気ディスクＤからカード固有の識別番号を読み出して認証情報作成部３３に送るようになっている。
【００２０】
認証情報作成部３３は、送られた個人生体情報ＰＤを用いて認証を行うための認証データＡＤを生成しカードライタ３２に送るものである。具体的には、認証情報作成部３３は乱数発生手段を有しており、乱数発生手段から出力された乱数と個人生体情報ＰＤとを用いて認証データＡＤを生成する。そして、認証情報作成部３３は生成した認証データＡＤをカードライタ３２に送り、カードライタ３２が認証データＡＤをカード１に記憶する。なお、認証情報作成部３３は、個人生体情報ＰＤを書き込んだカード固有の識別番号と乱数とを関連づけしてデータベースとして記憶している。
【００２１】
次に、電子認証装置４０について説明する。電子認証装置４０は磁気ディスクを有するカード１に記憶された認証データＡＤに基づいて個人電子認証を行うものであって、個人情報入力部４１、カードリーダ４２、電子認証部４３等を有する。
【００２２】
個人情報入力部４１はたとえば指紋、声紋、掌紋、筆跡など個人生体情報ＰＤを入力するものであって、入力された個人生体情報ＰＤを電子認証部４３に送る。カードリーダ４２は磁気ディスクＤから記憶された認証データＡＤおよびカード固有の識別番号を読み出し電子認証部４３に送るようになっている。
【００２３】
電子認証部４３は、カード１に記憶された個人生体情報ＰＤと個人情報入力部４１に入力された個人生体情報ＰＤとを照合して電子認証を行うものである。具体的には、電子認証部４３は、カードリーダ４２から送られた認識番号を認証サーバ３０側に送る。すると、認証サーバ３０の認証情報作成部３３が認識番号に関連づけされた乱数を電子認証部４３に送る。そして、電子認証部４３は乱数と個人情報入力部４１に入力された個人生体情報ＰＤとから認証データＡＤを作成する。電子認証部４３は作成された認証データＡＤとカード１に記憶された認証データＡＤとを照合して認証を行う。
【００２４】
このように、１ＧＢ以上の記憶容量を有するカード１を用いて電子認証を行うと、大きな認証データＡＤを必要とするバイオメトリックスのようなセキュリティの高い電子認証を行うことができるようになる。また、従来、認証サーバ３０（サーバ）側において個人生体情報ＰＤを記憶してデータベースを用意しておき、電子認証装置４０において入力された個人生体情報ＰＤをサーバ側のデータベースと比較して行うようにしている。よって、サーバ側に個人生体情報ＰＤを記録するための膨大なデータベースが必要となる。一方、上述した図２の電子認証システムにおいては、個人生体情報ＰＤを各ユーザ側にカード１内蔵させて所持させることにより、サーバ側の負担を軽くすることができる。
【００２５】
なお、本発明の磁気ディスクを有するカード１は、上述した電子認証システム２０に用いられる場合のみならず、たとえば会社案内、建物案内もしくは商品紹介等の映像を磁気ディスクＤに記憶した名刺もしくは試供品として配布し、カードリーダ（ＰＤＡ等）を用いて利用できるようにするにも適している。また、ホストからのメッセージ、打ち合わせ事前資料などカード発行時に記録し、ゲストが読み出し可能としてもよい。この場合であっても、磁気ディスクを有するカード１は従来のカード型ＣＤもしくはＩＣカードに比べて安価であるため、ホスト（提供者）側に経済的負担をかけることなく、品質のよいサービスをゲスト（ユーザ）に提供することができる。
【図面の簡単な説明】
【図１】本発明の磁気ディスクを有するカードの好ましい実施の形態示す平面図
【図２】本発明の磁気ディスクを有するカードの使用例である電子認証システムの一例を示す模式図
【符号の説明】
１　　磁気ディスクを有するカード
１１　シェル
Ｄ　　磁気ディスク
Ｌ　　シェルの長さ
Ｗ　　シェルの幅
【図１】
2004014060.tif 000003
【図２】
2004014060.tif 000004